(57)【要約】【課題】空調機能並びに換気機能の両方を備え、従来の設計方法に基づく建物への採用が容易であり、施工性が良好であり、排気経路の簡素化を図ることができ、空調機への負担を軽減することができる、全館空調システムを提供する。【解決手段】全館空調システム１００は、建物Ｈ１の共用部分１１，１２の下部天井１１ｃ，１２ｃに配置された空調機１０，２０と、床下空間１３に配置された換気装置３０と、空調機１０，２０からの空調空気を部屋Ｒ１１などに供給するための吹出口１４と、床下空間１３を経て建物Ｈ１内の空気を排出するため１階の床面Ｆ１，Ｆ１１に設けられた排気口１５とを備えている。換気装置３０は、ダクト１６で吸い込んだ床下空間１３内の空気をダクト１７を経て建物Ｈ１外へ排出し、ダクト１８で吸い込んだ建物Ｈ１外の空気を給気ダクト１９ａ，１９ｂを経て空調機１０，２０へ送給する機能と、を有している。【選択図】図１
2019065687.tif 000002
【特許請求の範囲】
【請求項１】
建物の内部に配置された空調機と、
前記空調機で生成される空調空気を前記建物内へ供給するため前記建物内の壁面に設けられた吹出口と、
前記空調機と前記吹出口とを連通するダクトと、
前記建物内を換気する換気装置と、を備えた全館空調システムであって、
前記建物内の空気を吸い込んで、前記換気装置により前記建物外へ排出するための排気口を、前記建物の１階の領域内に配置したことを特徴とする全館空調システム。
【請求項２】
前記排気口を、前記建物の１階の領域内の床面の複数の個所に分散して配置した請求項１記載の全館空調システム。
【請求項３】
前記排気口を、前記建物の１階の領域内の居室部分の床面、共用部分の床面の少なくとも一方に配置した請求項２記載の全館空調システム。
【請求項４】
前記排気口を、壁面寄りの部分に配置した請求項３記載の全館空調システム。
【請求項５】
前記排気口を、前記建物の１階の領域内の天井部分に配置した請求項１記載の全館空調システム。
【請求項６】
前記建物内の空気を、前記排気口を経由して前記建物の床下空間内へ流入させて前記建物外へ排出する請求項１〜４の何れかの項に記載の全館空調システム。
【請求項７】
前記床下空間が気密性を有する請求項６記載の全館空調システム。
【請求項８】
前記換気装置を、前記建物の１階の床下空間内に配置した請求項１〜４，６，７の何れかの項に記載の全館空調システム。
【請求項９】
前記換気装置が、前記床下空間内に設置された状態において少なくとも水平方向に移動可能に支持された構造である請求項８記載の全館空調システム。
【請求項１０】
前記換気装置が、前記排気口を経由して吸い込んだ前記建物内の空気と、前記建物外から吸い込んだ空気との間で熱交換する機能を有する請求項１〜９の何れかの項に記載の全館空調システム。
【発明の詳細な説明】
【技術分野】
【０００１】
本発明は、一般住宅などの建物全体の空調並びに換気を行うための全館空調システムに関する。
【背景技術】
【０００２】
建物内部全体の空調並びに換気を行う全館空調システムについては、従来、様々な技術が開発されているが、本発明に関連するものとして、例えば、特許文献１に記載された「建物の床下換気構造」、特許文献２に記載された「強制換気式家屋」などがある。
【０００３】
特許文献１に記載された「建物の床下換気構造」は、建物の床下空間が密閉空間に形成され、この床下空間と室内とが空気導入口により連通され、かつ床下空間の空気を屋外に強制排出する排気系が設けられていることを特徴とするものである。
【０００４】
特許文献２に記載された「強制換気式家屋」は、気密に形成された床下空間と、床下空間の上方に形成された部屋と、部屋と床下空間とを連通する通気路と、床下空間内の気体を外部に排出するための排気口と、排気口を介して床下空間内の気体を外部に強制排出することにより床下空間内を負圧状態に保持する排気装置と、を備えている。
【先行技術文献】
【特許文献】
【０００５】
【特許文献１】特開２００２−７０１９３号公報
【特許文献２】特開平３−９９１４７号公報
【発明の概要】
【発明が解決しようとする課題】
【０００６】
特許文献１に記載された「建物の床下換気構造」は、床下空間を排気経路として利用したものであり、空調機は小屋裏空間に１台のみ設置されているが、１台の空調機で１棟分の空調能力を担保するので、空調機が大型サイズとなり、その設置場所を小屋裏空間などに確保することが必要となり、工事が困難である。また、換気装置は天井内に隠蔽されているため、吊りこみ設置工事が面倒である。
【０００７】
特許文献２に記載された「強制換気式家屋」は、床下空間に換気装置を設置し、床下空間を排気経路として利用することによって部屋内の換気を行うものであるが、空調機能は有していない。
【０００８】
そこで、本発明が解決しようとする課題は、空調機能並びに換気機能の両方を備え、従来の設計方法に基づく建物への採用が容易であり、施工性が良好であり、排気経路の簡素化を図ることができ、空調機への負担を軽減することができる、全館空調システムを提供することにある。
【課題を解決するための手段】
【０００９】
本発明に係る全館空調システムは、
建物の内部に配置された空調機と、
前記空調機で生成される空調空気を前記建物内へ供給するため前記建物内の壁面に設けられた吹出口と、
前記空調機と前記吹出口とを連通するダクトと、
前記建物内を換気する換気装置と、を備えた全館空調システムであって、
前記建物内の空気を吸い込んで、前記換気装置により前記建物外へ排出するための排気口を、前記建物の１階の領域内に配置したことを特徴とする。
【００１０】
このような構成とすれば、建物内全体の空気の排気を１階部分に集約することができるので、排気口を１階床面に設けた場合や１階天井面に設けた場合、あるいは、平屋建て建物、２階建て以上の建物の場合の何れの場合においても、排気経路の簡素化を図ることができる。また、建物の外から導入した新鮮な外気（若しくは空調空気と混合した外気）を建物内の各領域の上部から各領域内に向かって供給するとともに、各領域内の汚染空気を建物の１階部分に向かって集約し、１階部分の排気口から纏めて排気することができ、これにより、建物内の各領域のクリーン度を向上させることができ、同時に、各領域内の汚染空気が集まる場所（ダーティーゾーン）を１階に集約化することができる。
【００１１】
前記全館空調システムにおいては、前記排気口を、前記建物の１階の領域内の床面の複数の個所に分散して配置することができる。
【００１２】
このような構成とすれば、排気口の設置場所の選択が容易となり、建物内の空気を効率良く排気することができる。
【００１３】
前記全館空調システムにおいては、前記排気口を、前記建物の１階の領域内の居室部分の床面、共用部分の床面の少なくとも一方に配置することができる。
【００１４】
このような構成とすれば、建物内の空気を効率良く排気することができる。
【００１５】
前記全館空調システムにおいては、前記排気口を、壁面寄りの部分に配置することができる。
【００１６】
このような構成とすれば、建物内における居住者の生活行動などに支障を与えることなく、空気を効率良く排気することができる。
【００１７】
前記全館空調システムにおいては、前記排気口を、前記建物の１階の領域内の天井部分に配置することができる。
【００１８】
このような構成とすれば、建物内において家具や家電品などの配置場所が制約を受けることがない。また、温度の高い空気が天井部分に滞留しがちな夏場に、建物内の空気を効率良く排気することができる。
【００１９】
前記全館空調システムにおいては、前記建物内の空気を、前記排気口を経由して前記建物の床下空間内へ流入させて前記建物外へ排出することができる。
【００２０】
このような構成とすれば、床下空間を気密構造に仕上げて排気経路として利用することにより、建物全体の空調を行いながら床下空間内の換気も同時に行うことができる。空調空気が床下空間内を通過することにより、床下空間内が建物内と同等の環境となるので、空調負荷を低減することができる。また、床下空間内でのダクト施工が不要となるので、施工時間の短縮並びに使用材料の削減を図ることができる。
【００２１】
前記全館空調システムにおいては、前記床下空間が気密性を有することが望ましい。
【００２２】
このような構成とすれば、居室、ユニットバス部、ダクトシャフト部を経由して床下空間への空気の流通を遮断することができ、また、居室などから床下空間に流入する排気は床面設置の排気口からのみ床下空間へ流入するため、排気口からの逆流を防止することができる。
【００２３】
前記全館空調システムにおいては、前記換気装置を、前記建物の１階の床下空間内に配置することができる。
【００２４】
このような構成とすれば、換気装置の運転音が室内に伝わり難くなるので、室内空間の静粛化を図ることができる。換気装置専用の設置スペースや吊下げ保持部材を設ける必要がなくなり、別途、設置工事を行う必要もなくなる。
【００２５】
前記全館空調システムにおいては、前記換気装置が、前記床下空間内に設置された状態において少なくとも水平方向に移動可能に支持された構造であることが望ましい。
【００２６】
このような構成とすれば、換気装置のメンテナンスや部品交換などを行うときの作業性が向上する。
【００２７】
前記全館空調システムにおいては、前記換気装置が、前記排気口を経由して吸い込んだ前記建物内の空気と、前記建物外から吸い込んだ空気との間で熱交換する機能を有することが望ましい。
【００２８】
このような構成とすれば、建物外から吸い込んだ空気の温度を、建物内の室温（空調温度）に近づけた状態で建物内へ導入することが可能となるので、空調効率の向上に有効である。
【発明の効果】
【００２９】
本発明により、空調機能並びに換気機能の両方を備え、従来の設計方法に基づく建物への採用が容易であり、施工性が良好であり、排気経路の簡素化を図ることができ、空調機への負担を軽減することができる、全館空調システムを提供することができる。
【図面の簡単な説明】
【００３０】
【図１】本発明の実施形態である全館空調システムの概略構成を示す一部省略垂直断面図である。
【図２】図１中の矢線Ｘで示す部分の一部省略拡大図である。
【図３】本発明の実施形態である全館空調システムを備えた建物の１階部分を示す一部省略水平断面図である。
【図４】図３に示す建物の２階部分の一部省略水平断面図である。
【図５】本発明の実施形態である全館空調システムを備えた図３に示す建物の小屋裏空間を含む部分の一部省略水平断面図である。
【図６】図３に示す建物の床下空間を図１中の矢線Ｖ方向に相当する方向から見たときの一部省略平面図である。
【図７】図６中の矢線Ｓ方向から見た一部省略垂直断面図である。
【図８】図６中に示す換気装置の移動状態を示す一部省略水平断面図である。
【図９】図２中に示すチャンバ付近の一部省略斜視図である。
【図１０】図９中の矢線Ｙ方向から見たライン形の吹出口の一部省略正面図である。
【図１１】図１０に示すライン形の吹出口の機能を示す側面図である。
【図１２】図１１（ｂ）に示す状態に設定したときのライン形の吹出口の機能を示す模式図である。
【図１３】図１１（ｃ）に示す状態に設定したときのライン形の吹出口の機能を示す模式図である。
【図１４】図３に示す建物内に設けられた脱衣所と共用部分との境界付近を示す垂直断面図である。
【図１５】図１４中の矢線Ｚ方向から見た一部省略図である。
【図１６】本発明のその他の実施形態である全館空調システムの概略構成を示す一部省略垂直断面図である。
【図１７】図１６に示す建物における１階天井部分の空調設備を示す一部省略水平断面図である。
【図１８】図１６に示す建物における２階天井部分の空調設備を示す一部省略水平断面図である。
【図１９】図１６に示す全館空調システムを備えた建物の床下換気設備を示す一部省略水平断面図である。
【図２０】本発明のその他の実施形態である全館空調システムの概略構成を示す一部省略垂直断面図である。
【図２１】図２０に示す全館空調システムを備えた建物の１階天井裏部分の一部省略水平断面図である。
【図２２】図２０に示す建物の２階床下部分の一部省略水平断面図である。
【図２３】図２０に示す建物の２階天井裏部分の一部省略水平断面図である。
【図２４】図２０に示す建物における３階天井裏部分の一部省略水平断面図である。
【発明を実施するための形態】
【００３１】
以下、図１〜図２４に基づいて、本発明の実施形態である全館空調システム１００，２００，３００について説明する。
【００３２】
初めに図１〜図１５に基づいて全館空調システム１００について説明する。なお、図１，図２は、本発明の実施形態である全館空調システム１００の概略構成を示しており、図３〜図５は全館空調システム１００を備えた実際の建物Ｈ１を示しているが、共通する構造や共通する機能を有する部材については同じ符号を付している部分がある。また、図３，図４中において網目を付している領域は下部天井１１ｃ，１２ｃを表している。
【００３３】
一般に、建物の空調システムの温度設定は空調機が存在する部屋の室温で決まるので、空調機を各部屋に設置すると、建物全体が空調される前に、空調機が設置されている部屋の設定温度になってしまう結果、建物全体が適切な温度にならず、所謂、空調が効き難い状態となる。そこで、本実施形態の全館空調システム１００においては、空調機１０，２０をそれぞれ１台ずつ各階の共用部分１１，１２に配置している。
【００３４】
具体的には、全館空調システム１００の場合、建物Ｈ１内に設けられた複数の領域について居住者の滞在時間が短いと想定される領域を上位とする優先度を設定し、優先度が上位にある領域として共用部分１１，１２を選択し、（居室以外である）共用部分１１，１２の天井面より低い位置に形成された下部天井１１ｃ，１２ｃの上方の天井裏空間１１ａ，１２ａ内に空調機１０，２０を配置している。
【００３５】
前述したように、建物Ｈ１内の複数の領域について居住者の滞在時間が短いと想定される領域を上位とする優先度を設定したとき、優先度が上位にある領域として選択したのが共用部分１１，１２であるが、換言すると、共用部分１１，１２は、この領域から他の領域（少なくとも一部が壁体によって区画された部分であって他の領域への出入口を有する部分）へ人間が直接移動することができる領域でもある。即ち、図３に示すように、共用部分１１は建物Ｈ１内の１階部分において他の領域への出入口を最も多く有する領域であり、図４に示すように、共用部分１２は建物Ｈ１の２階部分において他の領域への出入口を最も多く有する領域である。
【００３６】
図１，図２に示すように、本実施形態に係る全館空調システム１００は、建物Ｈ１の１階、２階の共用部分１１，１２の下部天井１１ｃ，１２ｃにそれぞれ配置された空調機１０，２０と、建物Ｈ１の床下空間１３に配置された換気装置３０と、空調機１０，２０から送給される空調空気を建物Ｈ１内へ供給するため建物Ｈ１内の居室である各部屋Ｒ１１，Ｒ１２，Ｒ２１，Ｒ２２にそれぞれ設けられた給気口であるライン形の吹出口１４，１４，１４，１４と、床下空間１３を経由して建物Ｈ１内の空気を排出するため建物Ｈ１内の１階の床面Ｆ１及び共用部分１１の床面Ｆ１１に設けられた排気口１５，１５，１５と、を備えている。建物Ｈ１の外部には室外機２１が配置されている。また、建物Ｈ１の２階部分の上方の小屋裏空間４０には収納室２９や中間ダクトファン４１などが設けられている。
【００３７】
また、全館空調システム１００の場合、前述した優先度と逆に、建物Ｈ１内の複数の領域について居住者の滞在時間が長いと想定される領域を上位とする優先度を設定し、優先度が上位にある領域から順番に選択した領域である部屋Ｒ１１，Ｒ１２，Ｒ２１，Ｒ２２内にそれぞれ吹出口１４を配置している。具体的には、建物Ｈ１内の複数の領域（居室、非居室である共用部分などを含む）の居住者の滞在時間、用途優先度、面積に応じて優先度係数を設定し、優先度係数が大である（上位にある）領域から順番に選択して優先的に吹出口１４を配置している。
【００３８】
また、図３に示すように、居住者の滞在時間が長いと想定される領域を上位とする優先度と領域の規模（容積）との関係から必要風量を算出した結果に基づいて、ＬＤＫには、２台の吹出口１４，１４並びに分岐吹出口１４ｓが設置され、玄関ホール４７には分岐吹出口１４ｓが設置されている。
【００３９】
空調機１０には３本のダクト２３，２３，２３が接続され、これらのうちの２本のダクト２３，２３の下流側がそれぞれ吹出口１４，１４に接続され、残りの１本のダクト２３の下流側は２本の分岐ダクト２３ｓ，２３ｓに分かれ、分岐ダクト２３ｓ，２３ｓの下流側がそれぞれ分岐吹出口１４ｓ，１４ｓに接続されている。吹出口１４と分岐吹出口１４ｓとは同じサイズ、構造及び機能を有している。
【００４０】
図４，図５に示すように、空調機２０には３本のダクト２３，２３，２３が接続され、これらのうちの２本のダクト２３，２３の下流側がそれぞれ部屋Ｒ２１，Ｒ２２に設置された吹出口１４，１４に接続されている。残りの１本のダクト２３の下流側は２本の分岐ダクト２３ｓ，２３ｓに分かれ、一方の分岐ダクト２３ｓの下流側は部屋Ｒ２３の分岐吹出口１４ｓに接続され、他方の分岐ダクト２３ｓの下流側は収納室２９の分岐吹出口１４ｔに接続されている。
【００４１】
ダクト２３から二つに分かれたれた分岐ダクト２３ｓの風量は元のダクト２３の風量の半分になるので、居住者の滞在時間が長いと想定される部分を優先的に空調しながら、居住者の滞在が短いと想定される部分への空調空気の供給を抑制することが可能となり、空調効率の向上及び空調エネルギの削減に有効である。また、領域の規模（容積）が小さく、空調負荷の低い部分に適度な空調空気を供給することができ、建物Ｈ１内の温度分布を均一化することができる。
【００４２】
また、ダクト２３に接続された吹出口１４並びに分岐ダクト２３ｓに接続された分岐吹出口１４ｓ，１４ｔを、前記優先度係数に基づいて選択的に設置することにより、空調する領域の規模に応じた風量を領域ごとに設定することができ、建物Ｈ１の内部をムラなく空調することができるので、空調効率が高まり、居住者の体感性が向上し、空調エネルギを削減することができる。
【００４３】
換気装置３０は、床下空間１３を経由してダクト１６から吸い込んだ建物Ｈ１内の空気を、ダクト１７を経由して建物Ｈ１外へ排出する機能と、ダクト１８を介して取り入れた建物Ｈ１外の空気（外気）を給気ダクト１９ａ，１９ｂを経由してそれぞれ空調機１０，２０へ送給する機能と、を有している。ダクト１８の途中には、換気装置３０に取り入れられる外気を浄化するための外気清浄手段であるフィルタを内蔵したフィルターボックス４４が配置されている。
【００４４】
全館空調システム１００においては、建物Ｈ１内の各部屋Ｒ１１，Ｒ１２，Ｒ２１，Ｒ２２に空調機１０，２０からの空調空気を供給する吹出口１４が設けられている。１階の部屋Ｒ１１，Ｒ１２内の空気は、それぞれの部屋Ｒ１１，Ｒ１２の床面Ｆ１，Ｆ１に設けられた排気口１５，１５を経由して、気密状に仕上げられた床下空間１３へ流入し、換気装置３０のダクト１６に吸い込まれ、建物Ｈ１の外へ排気される。
【００４５】
また、１階の部屋Ｒ１１，Ｒ１２内の空気は、それぞれの部屋Ｒ１１，Ｒ１２への出入口であるドアＤの下縁部に設けられたアンダーカットＵを経由して共用部分１１に流出し、共用部分１１の床面Ｆ１に設けられた排気口１５を経由して床下空間１３へ流入し、換気装置３０によって排気される。
【００４６】
さらに、２階の部屋Ｒ２１，Ｒ２２内の空気は、それぞれの部屋Ｒ２１，Ｒ２２への出入口であるドアＤの下縁部に設けられたアンダーカットＵを経由して共用部分１２に流出し、共用部分１２から１階の共用部分１１へ流動し、共用部分１１の床面Ｆ１の排気口１５を経由して床下空間１３へ流入し、換気装置３０によって排気される。
【００４７】
換気装置３０の給気ダクト１９ａ，１９ｂは空調機１０，２０に接続され、空調機１０，２０にそれぞれ外気を供給する。換気装置３０は１階の床下空間１３内に設置され、１階の床面Ｆ１に設置された排気口１５を介して、室内からの排気を床下空間１３内に取り込み、床下空間１３をダクトレス排気経路として利用する。
【００４８】
このように、換気装置３０を床下空間１３に設置したことにより、換気装置３０の運転音が室内に伝わり難くなるため、室内空間（部屋Ｒ１１，Ｒ１２，Ｒ２１，Ｒ２２の内部及び共用部分１１，１２）を静粛に保つことができる。また、床下空間１３を利用して換気装置３０を配置するので、換気装置３０専用の設置スペースを設ける必要がなく、別途、建築工事が不要である。
【００４９】
床下空間１３を排気経路として利用することにより、建物Ｈ１全体の空調を行いながら床下空間１３の換気も同時に行うことができる。また、空調された排気が床下空間１３内を通過することにより、床下空間１３が居室空間（部屋Ｒ１１，Ｒ１２，Ｒ２１，Ｒ２２の内部）とほぼ近い環境となるため、空調負荷を低減することができ、湿度などに起因する建物の劣化を抑制することができる。さらに、換気装置３０の設置環境も良好となるため、換気装置３０自体の製品寿命も損なわれない。
【００５０】
図１に示すように、部屋Ｒ１１の床面Ｆ１に形成された点検口４５を、換気装置３０の点検口として使用することができる。なお、多雪地域において全館空調システム１００を施工する場合、積雪の影響を受けないように、建物Ｈ１の１階と２階の階間に換気装置３０を設置し、ベントキャップ（ダクト１７，１８の開口部１７ａ，１８ａのキャップ）も高所に取り付けることができる。なお、建物Ｈ１内の台所Ｋ（図３参照）の床下空間１３内に換気装置３０を設置した場合は床下収納庫の開閉口４６（図３参照）を点検口として利用することもできる。
【００５１】
全館空調システム１００において、床下空間１３に配置された換気装置３０は全熱交換器であり、床下空間１３を経由して吸い込んだ建物Ｈ１内の空気（排気）と、建物Ｈ１外から取り入れた空気（外気）との間で熱交換する機能を有している。
【００５２】
換気装置３０を使用することにより、建物Ｈ１外からダクト１８を経由して吸い込んだ空気を、建物Ｈ１内の室温（空調温度）に近づけた状態で建物Ｈ１内へ導入することが可能となるので、空調効率の向上に有効である。
【００５３】
また、全館空調システム１００においては、建物Ｈ内の共用部分１１，１２に形成された下部天井１１ｃ，１２ｃの上方の天井裏空間１１ａ，１２ａ内にそれぞれ空調機１０，２０を配置し、部屋Ｒ１１，Ｒ１２，Ｒ２１，Ｒ２２，Ｒ２３の内部において各階の空調機１０，２０からそれぞれ最短距離に位置する部分に吹出口１４及び分岐吹出口１４ｓを設けている。具体的には、廊下２２側の壁面Ｗの上部あるいは各部屋Ｒ１１，Ｒ１２，Ｒ２１，Ｒ２２の廊下２２側の壁面Ｗの上部に吹出口１４及び分岐吹出口１４ｓを設けている。
【００５４】
空調機として、ビルトイン型などの薄型空調機を採用すれば、下部天井１１ｃ，１２ｃの下がり寸法を最小限に抑えることができ、空調機の納まりが良好となり、共用部分１１，１２のスペースに圧迫感を与えることもない。また、小屋裏空間４０に収納室２９などを設け、スペースを有効活用することもできる。
【００５５】
図１に示すように、建物Ｈ１が複数階高の住宅の場合、空調機１０，２０は各階の共用部分１１，１２の天井裏空間１１ａ，１２ａに設ける。建物Ｈ１の１階若しくは２階の居住者が不在で空調不要の場合は不在階の空調機の運転を停止することができるので、省エネに貢献することができる。なお、空調運転を止めても換気運転（２４時間換気）は行われるので、建築基準法の換気義務をクリアすることができる。
【００５６】
前述した構成とすることにより、全館空調システム１００においては、別途、空調機室を設ける必要がないので、容易に設置が可能である。また、非居室である共用部分１１，１２の天井裏空間１１ａ，１２ａに空調機１０，２０を設置することにより、空調機１０，２０の運転音の拡散を防止することができるので、居住者にとって静粛な全館空調システムを提供することができる。
【００５７】
さらに、共用部分１１，１２の天井裏空間１１ａ，１２ａに空調機１０，２０を設置することにより、各部屋Ｒ１１，Ｒ１２，Ｒ２１，Ｒ２２，Ｒ２３の吹出口１４、分岐吹出口１４ｓと空調機１０，２０との距離を最短とすることができ、ダクト２３のルートも最短となるため、低圧損となり、空調機１０，２０の負荷をそれぞれ低減することができる。また、ダクト２３のルートが最短となることにより、ダクト材料費が最小で済み、施工も簡素とすることができ、コスト低減に有効である。
【００５８】
このように、全館空調システム１００は、空調機能並びに換気機能の両方を備え、従来の設計方法に基づいて構築された建物Ｈ１において容易に採用することができ、施工性が良好であり、空調機１０，２０の負担を軽減することもできる。また、全館空調システム１００は、建物Ｈ１内において、居住者が長く滞在すると想定される部屋Ｒ１１，Ｒ１２，Ｒ２１，Ｒ２２を優先的に空調することができるので、空調効率が高まり、居住者の体感性が向上し、空調エネルギを削減することができる。
【００５９】
さらに、全館空調システム１００は、建物Ｈ１全体内の空気の排気を１階部分に集約することができるので、排気経路の簡素化を図ることができる。さらに、排気口１５を１階の床面Ｆ１，Ｆ１１に設けた場合に限らず、１階天井面に設けた場合、あるいは、平屋建て建物、２階建て以上の建物の場合の何れの場合においても、排気経路の簡素化を図ることができる。
【００６０】
図１，図２に示すように、全館空調システム１００においては、各々の部屋Ｒ１１，Ｒ１２，Ｒ２１，Ｒ２２，Ｒ２３への給気口として、ライン形の吹出口１４及び分岐吹出口１４ｓを使用し、吹出口１４及び分岐吹出口１４ｓの上流側を、チャンバ２４及びダクト２３や分岐ダクト２３ｓを介して、空調機１０，２０と接続している。
【００６１】
図９に示すように、チャンバ２４は、ダクト２３との接続口２５から吹出口１４に向かうにつれて水平方向に連続的に拡幅する部分と、鉛直方向に連続的に縮小する部分と、を兼備した整流部２６を有している。なお、前記給気口はライン形の吹出口１４に限定するものではないので、例えば、長矩形の吹出口などを使用することもできる。
【００６２】
全館空調システム１００においては、空調機１０，２０から送給される空調空気を部屋Ｒ１１などへ供給するため給気口として、図９に示すようなライン形の吹出口１４や分岐吹出口１４ｓを使用したことにより、下部天井１１ｃ，１２ｃの懐寸法を最小寸法に抑えることができる。また、ライン形の吹出口１４、分岐吹出口１４ｓは、部屋の天井または壁面に沿って空調空気を吹き出すことができるので、部屋の内部全体に空調空気が行き渡り、空調効率が向上する。
【００６３】
全館空調システム１００においては、図９に示すようなチャンバ２４を使用したことにより、下部天井１１ｃ，１２ｃに設置した空調機１０と、壁面Ｗに設置した吹出口１４（分岐吹出口１４ｓ）とを好適に接続することができる。また、チャンバ２４は、下部天井１１ｃ，１２ｃを構成する各種部材（梁など）との干渉がなく、納まりが良好である。
【００６４】
さらに、ダクト２３から供給された空調空気は、前述した形状のチャンバ２４内を流動することにより、スムーズに吹出口１４（分岐吹出口１４ｓ）に到達することができるので、低圧損とすることができる。なお、チャンバ２４は、その両側面に着脱可能に取り付けられた、長孔付きのＬ字状の金具２４ａを、ビス（図示せず）などを用いて建物Ｈ１の構成部材に固定することにより、所定場所に容易に設置することができる。
【００６５】
図１０，図１１に示すように、吹出口１４（分岐吹出口１４ｓ）は、風向調整及び風量調整が可能な回転式の湾曲羽根１４Ｘを有している。湾曲羽根１４Ｘは、浅い樋形状の本体部１４ａと、本体部１４ａの両端部を閉塞する扇形状の側板１４ｂと、本体部１４ａの凹曲面を横断する方向に一定間隔ごとに配置された複数のリブ１４ｃと、を備えている。湾曲羽根１４Ｘは、本体部１４ａの両端部の側板１４ｂから水平方向に突設された支軸１４ｄを介して、四角筒形状のフレーム１４ｅ内に回動可能に保持されている。湾曲羽根１４Ｘの前縁部１４ｆは湾曲羽根１４Ｘを回動操作するときの手動操作部分となる。
【００６６】
図１１（ａ）に示す状態においても、湾曲羽根１４Ｘの前縁部１４ｆは、吹出口１４（分岐吹出口１４ｓ）の正面部分から部屋Ｒ１２側へ突出しているので、部屋Ｒ１２側から容易に手動操作することができる。本体部１４ａの凹曲面に所定間隔をおいて配置された複数のリブ１４ｃは、本体部１４ａを補強する機能と、後述する、空気流を整流する機能とを有している。
【００６７】
吹出口１４（分岐吹出口１４ｓ）においては、１枚の湾曲羽根１４Ｘのみを支軸１４ｄを中心に回動操作することにより、風量調整及び風向調整を行うことができるので、構造のシンプル化を図ることができる。また、空調機１０を下部天井１１ｃ，１２ｃ上方の天井裏空間１１ａ，１２ａに設置した場合、ライン形の吹出口１４（分岐吹出口１４ｓ）を壁面Ｗの上部に設置できるので、納まりが良く、気流の切替操作も容易に行うことができる。
【００６８】
図１１（ａ）に示すように、湾曲羽根１４Ｘの前縁部１４ｆをフレーム１４ｅの正面に最接近するまで押し込んでしまうと、吹出口１４（分岐吹出口１４ｓ）は閉止状態となるが、本体部１４ａの後縁部１４ｇとフレーム１４ｅの内面との間に隙間Ｇが確保されるので、吹出口１４の内部は空気流が通過可能である。なお、湾曲羽根１４Ｘの前縁部１４ｆをフレーム１４ｅの正面に最接近するまで押し込んだときも前縁部１４ｆはフレーム１４ｅの正面より突出した状態に保たれる。
【００６９】
図１１（ｂ）に示すように、湾曲羽根１４Ｘの前縁部１４ｆをフレーム１４ｅの正面から少し引き出し、湾曲羽根１４Ｘの前縁部１４ｆ及び後縁部１４ｇが同一水平面に位置するようにセットすると、空調空気は吹出口１４から水平方向へ吹き出される。このとき、図１２に示すように、空調空気は空調室（部屋Ｒ１２）内の天井Ｃに沿って進行し、壁面Ｗの反対側の壁面Ｗ１に到達した後、部屋Ｒ１２内を巡回するように流動する。従って、夏場の冷房運転時は、吹出口１４の湾曲羽根１４Ｘを図１１（ｂ）に示す状態にセットすることが望ましい。
【００７０】
図１１（ｃ）に示すように、湾曲羽根１４Ｘの前縁部１４ｆをフレーム１４ｅの正面から引き出し最下部まで降ろすと、湾曲羽根１４Ｘ全体が露出した状態となり、空調空気は湾曲羽根１４Ｘの本体部１４ａの凹曲面部分及びリブ１４ｃに誘導され、吹出口１４（分岐吹出口１４ｓ）から下方に向かって吹き出される。このとき、図１３に示すように、空調空気は空調室（部屋Ｒ１２）内の床面Ｆ１に向かって下降し、床面Ｆ１に沿って、壁面Ｗの反対側の壁Ｗ１に向かって流動する。従って、冬場の暖房運転時は、吹出口１４（分岐吹出口１４ｓ）の湾曲羽根１４Ｘを図１１（ｃ）に示す状態にセットすることが望ましい。
【００７１】
前述したように、全館空調システム１００においては、吹出口１４（分岐吹出口１４ｓ）を図１１（ａ）に示すように閉止状態にしたときにおいても、所定風量を供給可能な隙間Ｇを保持することができる。このため、夏季と冬季との間の中間期など空調運転が不要な季節においても２４時間換気機能を確保することができる。なお、２４時間換気における換気風量は０．５回／ｈ程度で、比較的少ないので、隙間Ｇは、空気流を部屋内全体に行き渡らせるために必要な開口面積としている。
【００７２】
図１，図６，図７に示すように、全館空調システム１００においては、換気装置３０に取り入れられる外気を浄化するための外気清浄手段（フィルタを内蔵したフィルターボックス４４）を床下空間１３に配置している。このため、例えば、建物Ｈ１内の部屋Ｒ１１の床面Ｆ１に設けられた点検口２７からフィルターボックス４４のメンテナンスなどを行うことができ、作業性も良好である。また、フィルターボックス４４は床面Ｆ１部分からメンテナンス可能であるため、脚立などを使用した高所作業が不要であり、安全性に優れている。
【００７３】
図７に示すように、換気装置３０の下面には、複数のゴム製の支持部材３１が取り付けられ、これらの支持部材３１を床下空間１３の基礎面１３ａに接地させた状態で、換気装置３０が床下空間１３内に配置されている。支持部材３１は防振性を有するため、換気装置３０と基礎面１３ａとの間の振動伝達を防止することができる。
【００７４】
また、換気装置３０は複数の支持部材３１を介して床下空間１３の基礎面１３ａに載置されているので、換気装置３０のメンテナンスや部品交換などを行うときなどは、図８に示すように、必要に応じて、換気装置３０を移動させることが可能であり、作業性が良好である。なお、換気装置３０に接続されているダクト１６，１７，１８及び給気ダクト１９a，１９ｂは何れも可撓性を有しているので、換気装置３０を移動させたり、元の位置に戻したりしたとき、それに追従して変形可能であり、換気機能などに支障を来すことはない。
【００７５】
次に、図１〜図５に示す全館空調システム１００においては、図１４，図１５に示すように、建物Ｈ１内に設けられた脱衣所４２と共用部分１１との壁面Ｗ２に、共用部分１１の空調空気を脱衣所４２内に取り込むためのパイプファン２８が設けられている。
【００７６】
従って、脱衣所４２にダクトなどを施工することなく、空調空気を引き込むことができる。また、パイプファン２８の送風能力のみにより、脱衣所４２内を他の空調空間と同じ環境にすることができるので、省エネに有効である。
【００７７】
全館空調システム１００においては、図１に示すように、建物Ｈ１の小屋裏空間４０と建物Ｈ１内の部屋Ｒ２１とを連通状態に接続する、可逆運転可能な中間ダクトファン４１が設けられている。従って、冬季は小屋裏空間４０内の暖かい空気を部屋Ｒ２１内へ供給することができ、夏季は部屋Ｒ２１内の冷たい空気を小屋裏空間４０内へ供給することができ、空調負荷の軽減に有効である。
【００７８】
図１，図５に示すように、小屋裏空間４０に設けられた収納室２９と空調機２０とは給気用の分岐ダクト２３ｓで連通されているため、空調機２０から収納室２９内へ空調空気を送り込むことにより、他の部屋と同様の空調を行うことができる。
【００７９】
図１に示す全館空調システム１００を施工する場合、建物Ｈ１の断熱処理手段については、グラスウールなどの断熱材を使用することができるが、気密性確保の観点から、吹付発泡断熱を施工することが望ましい。
【００８０】
また、全館空調システム１００において、床下空間１３を経由して建物Ｈ１内の空気を建物Ｈ外へ効率良く排出するためには、建物Ｈ１の床下空間１３の気密性を確保することが必須要件であるため、床下空間１３の気密断熱処理手段についても、吹付発泡断熱を施工することが望ましい。
【００８１】
床下空間１３の気密性を確保するため、図１に示す、給気ダクト１９ａ，１９ｂが床面Ｆ１を貫通する部分において、給気ダクト１９ａ，１９ｂと床面Ｆ１との隙間を気密テープで閉塞し、同様に、ダクト１７，１８が床面Ｆ１を貫通する部分においてダクト１７，１８と床面Ｆ１との隙間を気密テープで閉塞している。また、床面Ｆ１の外周部分と建物Ｈ１を形成する土台とを複数の金釘で留め付けたり、床面Ｆ１の外周部分と建物Ｈ１を形成する垂直部材との隙間を気密テープで閉塞したりしている。さらに、図３に示す、点検口２７，４５及び開閉口４６も気密タイプのものを採用している。
【００８２】
ダクトシャフト部においては、ダクトが構造用合板を貫通する部分のダクトと構造用合板との隙間を気密テープで閉塞することにより気密処理を施している。ユニットバス部においては、基礎立ち上がり部分と底面を発泡断熱処理し、基礎上にユニットバスを設置している。また、ユニットバス点検用の点検口を設けるために基礎立ち上がり部分の一部を切り欠いた所に気密性の高い発泡樹脂製の基礎点検口を設置している。これにより、床下空間の空気が、ユニットバス部を経由して、他の領域へ流通することがなくなり、床下空間の気密性が向上する。
【００８３】
このように、床下空間１３の気密性を確保することにより、居室、ユニットバス部、ダクトシャフト部を経由して床下空間１３への空気の流通を遮断することができ、居室などから床下空間１３に流入する排気は床面Ｆ１に設置された排気口１５からのみ床下空間１３へ流入することとなるため、排気口１５からの逆流を防止することができる。
【００８４】
前述したように、全館空調システム１００においては、床下空間１３の気密性を高レベルに保つことで換気装置３０による換気機能を確保することができ、これにより他の機能、例えば、吹出口１４（分岐吹出口１４ｓ）から吹き出す空調空気による冷暖房機能なども有効に稼働する。
【００８５】
次に、図１６〜図１９に基づいて、その他の実施形態である全館空調システム２００について説明する。なお、全館空調システム２００において、前述した全館空調システム１００を構成する部分と共通する部分については、図１６〜図１９中にて、図１〜図１５中の符号と同符号を付して説明を省略する。
【００８６】
図１６は全館空調システム２００の概略構成を示しており、図１７〜図１９は全館空調システム２００を備えた実際の建物Ｈ２の水平断面を示している。また、図１７，図１８において斜線を付している部分は、各階に設けられた下部天井１１ｃ，１２ｃを表している。
【００８７】
図１６〜図１８に示すように、建物Ｈ２の１階部分には玄関ホール１、廊下１ａ、ＬＤＫ２、土間収納部３、脱衣所７及び物入れ部８などが設けられ、２階部分にはホール４、主寝室５、洋室６，９及び収納部５ａ，６ａ，９ａなどが設けられ、小屋裏空間４０には収納室２９が設けられている。
【００８８】
全館空調システム２００においても、建物Ｈ２内に存在する複数の領域について居住者の滞在時間が短いと想定される領域を上位とする優先度を設定し、優先度が上位にある領域として共用部分１１，１２を選択し、共用部分１１，１２の天井面より低い位置に形成された下部天井１１ｃ，１２ｃの上方の天井裏空間１１ａ，１２ａ内に空調機１０，２０を配置している。
【００８９】
図１７に示すように、建物Ｈ２内の１階部分においては、玄関ホール１、ＬＤＫ２の一部、脱衣所７及び物入れ部８の天井面より低い位置に下部天井１１ｃが形成され、共用部分１１である玄関ホール１の下部天井１１ｃの上方の天井裏空間１１ａ内に空調機１０が配置されている。これにより、空調機１０の設置スペースを容易に確保することができ、別途、空調機室を設ける必要がない。また、空調機１０の運転音が居住者の滞在時間の長い領域（ＬＤＫ２など）へ届き難いので、静粛性を確保することができる。
【００９０】
また、図１６，図１７に示すように、建物Ｈ２の１階部分においては、天井裏空間１１ａに隣接する壁面１１ｄ，１１ｅ，１１ｈ，１１ｉに吹出口１４，分岐吹出口１４ｓが配置されている。具体的には、ＬＤＫ２の天井の一部に設けられた下部天井１１ｃの壁面１１ｅに吹出口１４が配置され、玄関ホール１の天井に設けられた下部天井１１ｃのＬＤＫ２に臨む壁面１１ｈに吹出口１４が配置され、玄関ホール１の下部天井１１ｃの壁面１１ｄ及びキッチンＫに臨む壁面１１ｉにそれぞれ分岐吹出口１４ｓが配置されている。
【００９１】
図１７に示すように、空調機１０には３本のダクト２３，２３，２３が接続され、これらのうちの２本のダクト２３，２３の下流側がそれぞれ吹出口１４，１４に接続され、残りの１本のダクト２３の下流側が２本の分岐ダクト２３ｓ，２３ｓに分かれ、分岐ダクト２３ｓ，２３ｓの下流側がそれぞれ分岐吹出口１４ｓ，１４ｓに接続されている。
【００９２】
ＬＤＫ２に２台の吹出口１４，１４を設けたことにより、居住者の滞在時間が長いと想定される領域において、特に居住者が長く滞在すると想定される部分を優先的に空調することができ、空調効率の向上及び空調エネルギの削減に有効である。また、リビングなどに比べて居住者の滞在時間が短いと想定される領域であって、領域の規模（容積）も小さい玄関ホール１及びキッチンＫにそれぞれ分岐吹出口１４ｓ，１４ｓを設けたことにより、空調負荷の低いところに適度な空調空気を供給することができるので、建物Ｈ２内の温度分布の均一化を図ることができる。
【００９３】
前述したように、空調機１０と吹出口１４とはダクト２３で接続され、空調機１０と分岐吹出口１４ｓとはダクト２３から２つに分かれた分岐ダクト２３ｓで接続され、（吹出口１４からの吹出風量）≧（分岐吹出口１４ｓからの吹出風量）となるように設定されている。従って、居住者の滞在時間が長いと想定される部分を優先的に空調しながら、居住者の滞在が短いと想定される部分への空調空気の供給を抑制することができ、空気空調効率の向上及び空調エネルギの削減に有効である。
【００９４】
図１８に示すように、建物Ｈ２の２階部分においては、ホール４の天井面の一部より低い位置と、収納部５ａ，６ａ，９ａ内の天井面より低い位置にそれぞれ下部天井１２ｃが設けられ、共用部分１２であるホール４の下部天井１２ｃより上方の天井裏空間１２ａ内に空調機２０が配置されている。これにより、空調機２０の設置スペースを容易に確保することができ、別途、空調機室を設ける必要がない。また、空調機２０の運転音が居住者の滞在時間が長いと想定される領域（主寝室５及び洋室６，９）へ届き難いので、静粛性を確保することができる。
【００９５】
また、建物Ｈ２の２階部分においては、図１６，図１８に示すように、主寝室５に隣接する収納部５ａ内に設けられた下部天井１２ｃの壁面１１ｆ（主寝室５に臨む壁面）に吹出口１４が配置され、洋室６に隣接する収納部６ａ内に設けられた下部天井１２ｃの壁面１１ｇ（洋室６に臨む壁面）に吹出口１４が配置され、洋室９に隣接する収納部９ａ内に設けられた下部天井１２ｃの壁面１１ｊ（洋室９に臨む壁面）に吹出口１４が配置されている。空調機２０と吹出口１４，１４，１４とはそれぞれダクト２３で接続されている。従って、建物Ｈ２の２階部分において、居住者の滞在時間が長いと想定される領域（主寝室５及び洋室６，９）を優先的に効率良く空調することができる。
【００９６】
図１７に示すように、建物Ｈ２の１階部分において、ＬＤＫ２の床面Ｆ１の壁面寄りの複数個所に排気口１５が配置され、玄関ホール１の床面Ｆ１の土間収納部３寄りの部分に排気口１５が配置されている。このような構成とすることにより、排気口１５の設置場所の選択が容易となり、また、複数の排気口１５を分散配置することにより、床下空間１３内を換気しながら、建物Ｈ２内の空気を効率良く排気することができる。
【００９７】
図１６，図１９に示すように、ＬＤＫ２の床面Ｆ１の下方の床下空間１３内に換気装置３０が配置されている。また、ＬＤＫ２の床面Ｆ１の一部に開閉式の点検口４５が設けられている。換気装置３０を床下空間１３に設置したことにより、換気装置３０の運転音が室内に伝わり難くなるため、室内空間を静粛に保つことができる。また、床下空間１３を利用して換気装置３０を配置するので、換気装置３０専用の設置スペースを設ける必要がなく、別途、建築工事が不要である。ＬＤＫ２の床面Ｆ１の点検口４５を利用して換気装置３０のメンテナンスなどを行うことができるので、高所作業が不要であり、安全性が高く、作業性も良好である。
【００９８】
全館空調システム２００においては、図１６に示すように、小屋裏空間４０に設けられた収納室２９の内部に、給気ダクト１９ａから分岐した給気ダクト１９ｃが接続されている。換気装置３０から給気ダクト１９ａを経由して供給される外気の一部が給気ダクト１９ｃを経由して収納室２９内へ供給される。従って、建物Ｈ２外からダクト１８を経由して吸い込んだ空気を、建物Ｈ２内の室温（空調温度）に近づけた状態で収納室２９内へ供給することができる。
【００９９】
次に、図２０〜図２４に基づいて、全館空調システム３００について説明する。なお、全館空調システム３００において前述した全館空調システム１００，２００を構成する部分と共通する部分については、図２０〜図２４中に図１〜図１９中の符号と同符号を付して説明を省略する。
【０１００】
図２０は、全館空調システム３００の概略構成を示しており、図２１〜図２４は全館空調システム３００を備えた実際の建物Ｈ２の水平断面を示している。また、図２１，図２３，図２４において斜線を付している部分は、各階に設けられた下部天井５７，５８，５９，６０を表している。
【０１０１】
図２０〜図２４に示すように、建物Ｈ３は３階建てであり、建物Ｈ３の１階部分には玄関ホール５０、車庫５１などが設けられ、２階部分にはＬＤＫ５２、洗面所５４などが設けられ、３階部分には洋室５５、書斎５６などが設けられている。また、１階部分の玄関ホール５０から２階部分を経由して３階部分に連通する階段室５３が設けられている。
【０１０２】
玄関ホール５０の床面５０ｂの下方には床下空間５０ｃが設けられ、床面５０ｂの複数個所に通気口５０ｄ，５０ｅが設けられている。通気口５０ｄは車庫５１と隣接する壁面Ｗ３寄りの部分に設けられ、通気口５０ｅは壁面Ｗ３と対向する外側の壁面Ｗ４寄りの部分に設けられている。このような位置に通気口５０ｄ，５０ｅを設けたことにより、１階共用部分に供給される空調空気が一方の通気口５０ｅから床下空間５０ｃへ流入し、床下空間５０ｃ内を流動して他方の通気口５０ｄから１階共用部分へ流出した後、排気口１５から排出されるので、床下空間５０ｃの換気を実現することができる。
【０１０３】
図２０，図２１に示すように、玄関ホール５０の天井の一部に設けられた下部天井５７の上方の天井裏空間５７ａにチャンバ２４が配置され、天井裏空間５７ａに隣接する壁面５７ｂ（玄関ホール５０に臨む壁面）に分岐吹出口１４ｓが配置されている。空調機１０から供給される空調空気は壁面５７ｂの分岐吹出口１４ｓから玄関ホール５０に向かって吹出可能である。分岐吹出口１４ｓからの空調空気の吹出量は、後述する吹出口１４からの吹出量の約半分であるため、居住者の滞在時間が短いと想定される建物Ｈ２の１階の玄関ホール５０内を無駄なく、効率的に空調することができる。
【０１０４】
図２０，図２２に示すように、２階の床下空間６１内（１階天井と２階床面との間の空間内）に換気装置３０が配置され、玄関５０の天井部分５０ｆに排気口１５が設けられ、排気口１５と換気装置３０がダクト１６で接続されている。また、換気装置３０と空調機１０が給気ダクト１９ａで接続され、換気装置３０と空調機２０が給気ダクト１９ｂで接続されている。
【０１０５】
従って、建物Ｈ３の外から導入した新鮮な外気（若しくは空調空気と混合した外気）を建物Ｈ３内の各領域の上部から各領域内に向かって供給するとともに、各領域内の汚染空気を建物Ｈ３の１階部分に向かって集約し、１階部分の排気口１５から纏めて排気することができ、これにより、建物Ｈ３内の各領域のクリーン度を向上させることができる。これと同時に、各領域内の汚染空気が集まる場所（ダーティーゾーン）の集約化を図ることができる。
【０１０６】
図２０，図２１，図２３に示すように、２階の洗面所５４の天井部分に設けられた下部天井５８の上方の天井裏空間５８ａに空調機１０が配置され、ＬＤＫ５２の天井の一部に下部天井５９が設けられ、下部天井５９の上方の天井裏空間５９ａ（図２３参照）と隣接する壁面５９ｂ（ＬＤＫ５２に臨む壁面）に複数の吹出口１４が配置され、天井裏空間５９ａと隣接する壁面５９ｃ（階段室５３に臨む壁面）及び玄関ホール５０の下部天井５７の天井裏空間５７ａにそれぞれ分岐吹出口１４ｓ，１４ｓが配置されている。
【０１０７】
空調機１０には３本のダクト２３，２３，２３が接続され、これらうちの２本のダクト２３，２３の下流側は、ＬＤＫ５２の壁面５９ｂに配置された２台の吹出口１４，１４にそれぞれ接続され、残りの１本のダクト２３の下流側は２本の分岐ダクト２３ｓ，２３ｓに分かれ、一方の分岐ダクト２３ｓの下流側は階段室５３に臨む壁面５９ｃの分岐吹出口１４ｓに接続され、他方の分岐ダクト２３ｓの下流側は玄関ホール５０の分岐吹出口１４ｓに接続されている。
【０１０８】
空調機１０から供給される空調空気は壁面５９ｂの吹出口１４，１４からＬＤＫ５２に向かって吹き出されるとともに、一方の分岐吹出口１４ｓから階段室５３に向かって吹き出され、他方の分岐吹出口１４ｓから玄関ホール５０に向かって吹き出される。
【０１０９】
図２０，図２１，図２３に示すように、空調機１０から延設されたダクト２３から２つに分かれた分岐ダクト２３ｓに接続された分岐吹出口１４ｓ，１４ｓから吹き出す空調空気の吹出量は、吹出口１４からの吹出量の約半分であるため、居住者の滞在時間が短いと想定される階段室５３及び玄関ホール５０を無駄なく、効率的に空調しながら、居住者の滞在時間が長いと想定されるＬＤＫ５２内を優先的に空調することができる。
【０１１０】
図２０，図２４に示すように、建物Ｈ３の３階部分においては、階段室５３の天井部分に設けられた下部天井６０の上方の天井裏空間６０ａに空調機２０が配置されている。天井裏空間６０ａに隣接する壁面６０ｂ（洋室５５に臨む壁面）に吹出口１４及び分岐吹出口１４ｓが配置され、天井裏空間６０ａに隣接する壁面６０ｃ（書斎５６に臨む壁面）に及び分岐吹出口１４ｓが配置されている。
【０１１１】
図２４に示すように、空調機２０から２本のダクト２３，２３が延設され、一方のダクト２３の下流側は洋室５５に臨む壁面６０ｃに設けられた吹出口１４に接続され、他方のダクト２３の下流側は２本の分岐ダクト２３ｓ，２３ｓに分かれ、一方の分岐ダクト２３ｓの下流側は洋室５５に臨む壁面６０ｃに設けられた分岐吹出口１４ｓに接続され、他方の分岐ダクト２３ｓの下流側は書斎５６に臨む壁面６０ｃに設けられた分岐吹出口１４ｓに接続されている。
【０１１２】
従って、居住者の滞在時間が長いと想定される洋室５５の内部は吹出口１４及び分岐吹出口１４ｓから吹き出す空調空気によって優先的に空調することができ、洋室５５に比べて規模（容積）の小さい書斎５６の内部は分岐吹出口１４ｓから吹き出す空調空気によって無駄なく空調することができる。
【０１１３】
なお、図１〜図２４に基づいて説明した全館空調システム１００，２００，３００は、本発明に係る全館空調システムの一例を示すものであり、本発明に係る全館空調システムは前述した全館空調システム１００，２００，３００に限定されない。
【産業上の利用可能性】
【０１１４】
本発明に係る全館空調システムは、一般住宅などの建物内全体の空調・換気手段として、住宅建設業などの分野において広く利用することができる。
【符号の説明】
【０１１５】
１，５０  玄関ホール
１ａ  廊下
２，５２  ＬＤＫ（リビングダイニングキッチン）
３  土間収納部
４  ホール
５  主寝室（居室）
５ａ，６ａ，９ａ  収納部
６，９，５５  洋室（居室）
７  脱衣所
８  物入れ部
１０，２０  空調機
１１，１２  共用部分
１１ａ，１２ａ，５７ａ，５８ａ，５９ａ，６０ａ  天井裏空間
１１ｃ，１２ｃ，５７，５８，５９，６０  下部天井
１１ｄ，１１ｅ，１１ｆ，１１ｇ，１１ｈ，１１ｉ，５７ｂ，５９ｂ，５９ｃ，６０ｂ，６０ｃ  壁面
１３，５０ｃ，６１  床下空間
１３ａ  基礎面
１４  吹出口（給気口）
１４Ｘ  湾曲羽根
１４ａ  本体部
１４ｂ  側板
１４ｃ  リブ
１４ｄ  支軸
１４ｅ  フレーム
１４ｆ  前縁部
１４ｇ  後縁部
１４ｓ  分岐吹出口
１５  排気口
１６，１７，１８，２３，４３  ダクト
１７ａ，１８ａ  開口部
１９ａ，１９ｂ，１９ｃ  給気ダクト
２１  室外機
２２  廊下
２３ｓ  分岐ダクト
２４  チャンバ
２４ａ  金具
２５  接続口
２６  整流部
２７，４５  点検口
２８  パイプファン
２９  収納室
３０  換気装置
３１  支持部材
４０  小屋裏空間
４１  中間ダクトファン
４２  脱衣所
４４  フィルターボックス
４６  開閉口
５０  玄関
５０ｄ，５０ｅ  通気口
５０ｆ  天井部分
５１  車庫
５３  階段室
５４  洗面所
５０ｂ，Ｆ１，Ｆ１１  床面
５６  書斎（居室）
１００，２００，３００  全館空調システム
Ｄ  ドア
Ｇ  隙間
Ｈ１，Ｈ２，Ｈ３  建物
Ｋ  キッチン
Ｒ１１，Ｒ１２，Ｒ２１，Ｒ２２  部屋（居室）
Ｕ  アンダーカット
Ｗ，Ｗ１，Ｗ２  壁面
【図１】
2019065687.tif 000003
【図２】
2019065687.tif 000004
【図３】
2019065687.tif 000005
【図４】
2019065687.tif 000006
【図５】
2019065687.tif 000007
【図６】
2019065687.tif 000008
【図７】
2019065687.tif 000009
【図８】
2019065687.tif 000010
【図９】
2019065687.tif 000011
【図１０】
2019065687.tif 000012
【図１１】
2019065687.tif 000013
【図１２】
2019065687.tif 000014
【図１３】
2019065687.tif 000015
【図１４】
2019065687.tif 000016
【図１５】
2019065687.tif 000017
【図１６】
2019065687.tif 000018
【図１７】
2019065687.tif 000019
【図１８】
2019065687.tif 000020
【図１９】
2019065687.tif 000021
【図２０】
2019065687.tif 000022
【図２１】
2019065687.tif 000023
【図２２】
2019065687.tif 000024
【図２３】
2019065687.tif 000025
【図２４】
2019065687.tif 000026